(57)【要約】      （修正有）【課題】袋状物入れ（例えばリュックサック）を長時間背負っていると肩からの痛み、苦痛、疲労がたまります、これらをなくし，快適なハイキングなどが出来るようにする。【解決手段】保持しているリュックサックの重量は肩の荷重となっています、そして歩き出すためには、すべての荷重を筋肉や骨を介して無意識の内に腰に集め、一旦腰の荷重とし、その後身体全体のバランスをとってからでないと歩き出せないのです。そこで背負ったときに肩の荷重とせず最初から腰の荷重とすれば肩の荷重負担が軽くなります、あとは腰への移転と固定方法をどうするか、本発明では面ファスナーを駆使しております。【選択図】図１
2007330718.tif 000002
【特許請求の範囲】
【請求項１】
肩かけベルトのついた袋状物入れを背負うとき肩に荷重がかかる、この肩の荷重の一部又は全部を面ファスナーを用いて腰の荷重へと移転又は変換させる装置。
【発明の詳細な説明】
【発明の分野】
【０００１】  本発明は袋状物入れ等の荷物を長時間保持したときの身体への負担や疲労を出来るだけ少なくするための一方法として開発したものです。
【背景技術】
【０００２】  双肩に荷重のかかる袋状物入れとして代表されるリュックサック（図１）は構造的にみると主に布製の袋状で中に荷物を入れ外側には２本の肩掛けのベルトが付いていて肩に負担をかけるが、両手をあけることが出来る荷物を運ぶ道具です。【０００３】  一方の肩に荷重のかかる袋状物入れとして代表されるショルダーバッグ（図２）は１本の肩掛けベルトが付いていて、一方の肩に負担をかけるが、負担をかける肩を左右交換出来ることと、両手をあけることが出来る荷物を運ぶ道具であります。この他に手こそあけられませんが、袋状物入れとして手提げカバン、風呂敷包みなどがあります。【０００４】  いずれも荷物を運ぶ道具ですが重い場合はいうに及ばず、長時間保持する場合並びに長時間保持しつつ歩行する場合には苦痛を伴いその負担が大変です、この負担を取り除く方法の有無が問題となります。【０００５】
【特許文献１】特願２００５−１６３２２０
【特許文献２】特願２００５−２５０２２８
【発明の開示】
【発明が解決しようとする課題】
【０００６】  解決しようとする問題点は袋状物入れを保持しつつ歩行するとき、荷重がかかっている肩等が痛くなり身体が疲れます、これを少しでも簡便に予防できないかが課題です。
【課題を解決するための手段】
【０００７】  上半身で荷物を持って歩行するためには、身体は無意識に全部の重さを筋肉や骨を介して、一旦腰に移し腰の荷重とした後、身体全体のバランスをとり自分の身体にとって一番無理の少ない方法で動作に移行します。【０００８】  次に荷物と身体の関係をみますと  （１）荷物と身体との接点はどこか、（２）荷物の重量が身体のどの部位にどの様な荷重となっているのか、（３）荷重のすべてがどうして、なぜに腰に集中するのか、（４）歩行開始前後の身体の位置、姿勢はどうか、（５）歩行開始のための身体のバランスがどうなっているのか、以上を検証するとどうしても腰が中心であることがわかります、  従って腰から離した荷物または腰から離れた荷物の持ち方や運び方は効率的でなく、痛みと疲労が早期にくるのが分かります。【０００９】  では痛みや疲労を簡便に予防するためには、どうしたら良いのか、それは荷物の重量を如何に簡単にかつ早く腰に的確に移すかで決まります。片方の肩に荷重がかかるショルダーバッグ、双肩の荷重となっているリュックサックそれらの荷重を如何に手軽に、早く腰に移転させるか、そのために本発明では面ファスナーを使用します。【００１０】面ファスナーの種類は数多くありますが、ここでは入手し易いものとして例えば商品名マジックテープの標準品とします、片面はなめらかなループ状であり、そこに合わせ接着する面は硬い繊維のフック状となっています。  多くの場面で面ファスナーを用いる理由は軽量で接着性が高くまた着脱が楽で、その上微妙な調節も可能だからです。【００１１】  次に腰への移転方法ですが直接式と間接式を考えます、直接式とは袋物と身体との接点部に面ファスナーを用います、袋物の接点部から下方に調節のため縦長のものを固定します、この面ファスナーの相手方を強度のある素材（例えば皮、金属、プラスチック）を腰ベルトに引っ掛け易いように加工したものに接着して置き、これを荷重受け（図３）とし必要に応じ腰部ベルトの接点部位に引っ掛けて要に供します。【００１２】  間接式は袋状物入れと身体とが密着する直接式と異なり、袋状物入れと身体との間にブランコ的遊びのあるのを特徴とします、袋状物入れと身体との間に補助ベルトでもあるブランコベルト（図  ４）を用いてその一端には面ファスナーがあり腰ベルト（専用ベルトまたはズボン用ベルト）をくぐらせて折り返してブランコベルトに接着し残りのブランコベルトと袋状物入れを吊る形をとります、ブランコベルトの他端には袋状物入れと接合するフックがあります、袋状物入れの荷重がフックに掛かる位置に金属製のトライアングル（図５）を袋状物入れに固定します。トライアングルは力のバランスを考えてのことなのでトライアングルでなく金属板に穴をあけて（図６）固定して用いても良いし又トライアングルを面ファスナーにかえても同等の効果は期待出来ます。【００１３】  用法ですが、リュックサックなど直接式の場合、袋状物入れを従来どおり保持すると身体との接点部で自動的に接着します。  しかし、痛みや疲労を予防するためには接着した面ファスナーを一旦剥離し背負っている本人が袋状物入れの底面を持ち上げ肩の荷重がなくなるところまで持ち上げてその高さのままで改めて接着させます、こうする��けで袋状物入れの形態にもよりますが、袋状物入れの全重量は腰へ移転します。この様に負担を限りなくゼロ化することが出来れば課題は解決されます。【００１４】  またショルダーバッグなど間接式では袋状物入れの重量をまずブランコベルト（図４）の一端にあるフックで受けます、ブランコベルトの他端には面ファスナーが全面にあり、腰ベルト（専用ベルトまたはズボン用ベルト）に吊るすため腰ベルトをくぐらせて、折り返してブランコベルトに接着固定します、その後この部分の着脱調整でブランコベルトの長さの調節をし、ショルダーバッグの荷重を常に受けるようにします。
【発明の効果】
【００１５】  効果の分り易い袋状物入れとしてリュックサックがあります、用途別に街中の一般用、ハイキング用、登山用に分けられますが、このうち登山用を除いたものが市場の大部分を占めます、大きさは約２０リッターまで、重さは約１０キログラムまでのものを検証の対象とします。【００１６】  面ファスナーの一面をリュックサックと身体とが会う面のリュックサックに固定します、場所は腰の部位から下方に縦長に固定します（図１）、相方の密着する面は荷重受け（図３）に固定します、そして腰ベルト（専用ベルトまたはズボン用ベルト）の背面部に引っ掛けられる様にします。【００１７】  従来どおりリュックサックを背負うと、双肩に荷重がかかり、面ファスナーは腰部で密着し、接着します、次にその状態のまま面ファスナーだけ剥離させリュックサックを底面から持ち上げます、持ち上げて肩の荷重が軽くなる位置で接着し直します。  これで肩の荷重が腰へ移転したのが体感され、肩をはじめ身体が楽になります。【００１８】  荷重について、１００名にテストしました、その結果全員から、肩の荷重の減少報告があり、これは計量器での実測と一致しました、尚  同じ重量なら容積の小さいものほど趣旨に合致し、又袋の底に重心が近い詰め方ほど結果は良好でした。【００１９】  歩行について、双肩の荷重が軽減し歩行が楽になり、痛みや疲労が大幅に減少してきます、又面ファスナーにより、リュックサックと身体とが密着しているのでリュックサック独自のゆれが少なくその点でも歩行し易くなっています。【００２０】  袋状物入れのうち通学用肩掛けカバンやある種のショルダーバッグや一部のリュックサックに見られるように袋物の本体または荷物の重心が腰より下部にある場合には、間接式を採用します、間接式の持つブランコ遊びにより、外観的には従来どおりの自然さが残っていますが、内面的には負担が極めて小さくなっているのが体感できます。
【図面の簡単な説明】
【００２１】
【図１】袋状物入れで双肩荷重タイプの例（リュックサック）
【図２】袋状物入れで片肩荷重タイプの例（ショルダーバッグ、通学カバン）
【図３】腰ベルトに引っ掛けた荷重受け
【図４】腰ベルトに通したブランコベルト
【図５】金属製トライアングル
【図６】穴あき金属板（荷物の重心に合う穴を用いる）
【符号の説明】
【００２２】      １    腰部接合部で面ファスナー、トライアングル、穴あき板などの取り付け部
２    トライアングル取り付け部
３    腰ベルトで専用腰ベルトまたはズボン用ベルト
４    背負うと自動的に接着し荷重が移転する荷重受け
５    ブランコベルトのブランコ部
６    ブランコの長さの固定と調節部
７    ブランコフックで符号８と接合する
８    符号７のフックと接合する
９    斜線部は面ファスナー部分
【図１】
2007330718.tif 000003
【図２】
2007330718.tif 000004
【図３】
2007330718.tif 000005
【図４】
2007330718.tif 000006
【図５】
2007330718.tif 000007
【図６】
2007330718.tif 000008